(57)【要約】【課題】時計のバンドに設けられた緊急連絡元端末が緊急連絡先端末に緊急連絡を適切に行える緊急連絡システムの提供。【解決手段】  バンドに設けられた緊急連絡元端末１１０において電源部１１４から無線通信機能部１１１及び測位部１１３への回路が開路された状態において、操作部１１２が人からの操作でオン動作し、無線通信機能部１１１及び測位部１１３が電源部１１４からの電力で起動し、無線通信機能部１１１が緊急連絡を管理装置１３１に通知すると、管理装置１３１が転送機能によって連絡先記憶部１３１の電話番号に該当する緊急連絡先端末１２１と無線通信機能部１１１とを通信可能に接続し、緊急連絡元端末１１０が緊急連絡情報及び測位部１１３で特定した位置情報を連絡先記憶部１３２の電話番号に該当する緊急連絡先端末１２１に無線通信する。【選択図】図１
2018182672.tif 000002
【特許請求の範囲】
【請求項１】
腕時計のバンドに設けられた緊急連絡元端末が電源部と無線通信機能部と操作部と測位部とを備え、前記緊急連絡元端末の緊急連絡先端末に無線通信する時の通信網に接続された管理装置が連絡先記憶部を備えた緊急連絡システムにおいて、前記電源部の電力は前記腕時計及び前記バンドに用いられることなく前記無線通信機能部及び前記測位部に使用される構成であって、前記電源部から前記無線通信機能部及び前記測位部への回路が開路された前記操作部のオフ動作した状態において前記操作部が人から操作を受けてオン動作すると、前記無線通信機能部及び前記測位部が前記電源部からの電力で起動し、前記無線通信機能部が緊急通知を前記通信網経由で前記管理装置に無線通信し、前記管理装置が前記連絡先記憶部に予め記憶された電話番号に基づき通信網を経由して緊急連絡先端末に発呼を行い、前記管理装置が前記発呼に対する前記緊急連絡先端末からの着信応答を受けると、前記管理装置が前記緊急連絡元端末の前記無線通信機能部と前記着信応答を行った前記緊急連絡先端末とを通信可能に接続し、前記無線通信機能部が緊急連絡情報及び前記測位部で特定した位置情報を前記緊急連絡先端末に無線通信することを特徴とする緊急連絡システム。
【請求項２】
前記連絡先記憶部に記憶された電話番号が複数個であり、前記管理装置が前記連絡先記憶部に記憶された電話番号に基づき発呼する場合に前記緊急連絡元端末と前記連絡先記憶部に記憶された前記複数個のうちの一つの電話番号に該当する緊急連絡先端末との回線が成立するまで発呼を順次行うことを特徴とする請求項１に緊急連絡システム。
【請求項３】
前記緊急連絡元端末が前記腕時計のバンドに一体不可分に設けられたことを特徴とする請求項１に緊急連絡システム。
【請求項４】
前記緊急連絡元端末が前記腕時計のバンドに着脱可能に設けられたことを特徴とする請求項１に緊急連絡システム。
【発明の詳細な説明】
【技術分野】
【０００１】
本発明は、時計のバンドに設けられた緊急連絡元端末が、緊急連絡不用中の電源部の消耗を抑制し、緊急連絡時の人為的な操作に基づき電源部から供給された電力で緊急連絡先端末に緊急連絡及び位置情報を無線通信する、緊急連絡システムに関する。
【背景技術】
【０００２】
図５を用いて、特許文献１で開示された携帯情報システム５００について説明する。図５に示した携帯情報システム５００は、腕時計５０１と通信アダプタ５１１とを備える。腕時計５０１には、時計機能部５０２と表示部５０３と電源部５０４及びコネクタ５０５が設けられている。通信アダプタ５１１には、無線通信部５１２及びコネクタ５１３が設けられている。そして、腕時計５０１及び通信アダプタ５１１が互いに組み合わせられると、コネクタ５０５及び５１３が互いに接続され、電源部５０４が時計機能部５０２と表示部５０３及び無線通信部５１２に電力を供給するようになっている。このように電源部５０４が時計機能部５０２と表示部５０３及び無線通信部５１２で共用される構成であると、無線通信部５１２で緊急連絡を行う時、電源部５０４に残されているエネルギー容量としての電池残量が少なくて、緊急連絡ができない場合がある。
【先行技術文献】
【特許文献】
【０００３】
【特許文献１】特開２００１−２２１８７３号公報
【発明の概要】
【発明が解決しようとする課題】
【０００４】
本発明は、前記背景技術に鑑みてなされたものであり、時計のバンドに設けられた緊急連絡元端末が緊急連絡先端末に緊急連絡を適切に行える緊急連絡システムの提供を目的とする。
【課題を解決するための手段】
【０００５】
本発明は、腕時計のバンドに設けられた緊急連絡元端末が電源部と無線通信機能部と操作部と測位部とを備え、前記緊急連絡元端末の緊急連絡先端末に無線通信する時の通信網に接続された管理装置が連絡先記憶部を備えた緊急連絡システムにおいて、前記電源部の電力は前記腕時計及び前記バンドに用いられることなく前記無線通信機能部及び前記測位部に使用される構成であって、前記電源部から前記無線通信機能部及び前記測位部への回路が開路された前記操作部のオフ動作した停止状態において前記操作部が人から操作を受けてオン動作した緊急連絡状態になると、前記電源部から前記無線通信機能部及び前記測位部への回路が閉路され、前記無線通信機能部及び前記測位部が動作し、前記無線通信機能部が緊急通知を前記通信網経由で前記管理装置に無線通信し、前記管理装置が前記連絡先記憶部に予め記憶された電話番号に基づき通信網を経由して緊急連絡先端末に発呼を行い、前記管理装置が前記発呼に対する前記緊急連絡先端末からの着信応答を受けると、前記管理装置が前記緊急連絡元端末の前記無線通信機能部と前記着信応答を行った前記緊急連絡先端末とを通信可能に接続し、前記無線通信機能部が緊急連絡情報及び前記測位部で特定した位置情報を前記緊急連絡先端末に無線通信することを特徴とする。
【発明の効果】
【０００６】
本発明は、操作部がオフ動作した停止状態中は電源部から無線通信機能部及び測位部への回路が開路されて、緊急連絡不用中の電源部の消耗を抑制し、操作部が人から操作を受けてオン動作した緊急連絡状態になると、緊急連絡時の人為的な操作に基づき電源部から供給された電力で緊急連絡先端末に緊急連絡及び位置情報を無線通信して、緊急連絡を適切に行うことができるという効果がある。又、本発明において、連絡先記憶部に記憶された電話番号が複数個であり、連絡先記憶部に記憶された電話番号に基づき発呼する場合に緊急連絡元端末と連絡先記憶部に記憶された複数個のうちの一つの電話番号に該当する緊急連絡先端末との回線が成立するまで発呼を順次行うようにすれば、連絡先記憶部に記憶された電話番号が１つの場合よりも、緊急連絡先端末に緊急連絡が届き易くなるという効果がある。又、本発明において、緊急連絡元端末が腕時計のバンドに一体不可分に設けられれば、緊急連絡元端末の設けられたバンドを腕時計から外して別の腕時計に装着することによって、腕時計を交換することができる。又、本発明において、緊急連絡元端末が腕時計のバンドに着脱可能に設けられれば、緊急連絡元端末を装着する腕時計又はバンドを変更できる。
【図面の簡単な説明】
【０００７】
【図１】発明を実施するための形態１に係る緊急連絡システムを示した構成図。
【図２】発明を実施するための形態１に係る緊急連絡元端末における緊急連絡の手順を示すフローチャート
【図３】発明を実施するための形態１に係る管理装置における緊急連絡の手順を示すフローチャート
【図４】発明を実施するための形態２に係る緊急連絡システムを示した構成図。
【図５】従来の緊急連絡システムを示す構成図。
【発明を実施するための形態】
【０００８】
図１を用いて、発明を実施するための形態１に係る緊急連絡システム１０１について説明する。図１に示した緊急連絡システム１０１は、腕時計１０２のバンド１０３に緊急連絡元端末１１０が一体不可分に設けられているので、緊急連絡元端末１１０の設けられたバンド１０３を腕時計１０２から外して図示のされていない別の腕時計に装着することによって、腕時計１０２を交換することができる。緊急連絡元端末１１０が携帯電話機等の携帯端末により構成されるので、緊急連絡元端末１１０が通信網１２０に接続された図示のされていない基地局等の中継装置を経由して通信網１２０に接続される。
【０００９】
腕時計１０２は、ゼンマイで駆動する機械式又は乾電池で駆動する電気式のどちらでも良いが、電気式の場合には腕時計１０２の乾電池と緊急連絡元端末１１０の電源部１１４とは互いに独立し、前記乾電池の電力が緊急連絡元端末１１０の動作に使用されず、電源部１１４の電力が腕時計１０２の動作に使用されない構成になっている。又、時刻を針で表示するアナログ式又は時刻を表示パネルで数字として表示するデジタル式のどちらでも適用可能である。
【００１０】
図１では、バンド１０３が１２時側バンド部材１０４及び６時側バンド部材１０５から構成された場合を例示したが、１２時側バンド部材１０４及び６時側バンド部材１０５に分離されないリング形状の構造でも適用可能である。１２時側バンド部材１０４の一端部は、腕時計１０２の１２時の側にバンド取付部材１０６で着脱可能に取り付けられる。６時側バンド部材１０５の一端部は、腕時計１０２の６時の側にバンド取付部材１０７で着脱可能に取り付けられる。１２時側バンド部材１０４及び６時側バンド部材１０５は、１２時側バンド部材１０４の他端部及び６時側バンド部材１０５の他端部の一方に設けられた子穴と、１２時側バンド部材１０４の他端部及び６時側バンド部材１０５の他端部の他方に設けられた美錠及びつく棒との嵌合で互いに連結されることによって、１２時側バンド部材１０４の他端部及び６時側バンド部材１０５の他端部が互いに接続されてバンド１０３としてリング形状になって、腕時計１０２が腕時計１０２の利用者の腕に装着可能になる。
【００１１】
前記緊急連絡元端末１１０がバンド１０３に一体不可分に設けられた構成としては、バンド１０３を構成する部材の一部が緊急連絡元端末１１０の躯体を構成した構造である。図１に示した緊急連絡システム１０１では、緊急連絡元端末１１０が６時側バンド部材１０５に一体不可分に設けられたが、緊急連絡元端末１１０が１２時側バンド部材１０４に一体不可分に設けられても良い。緊急連絡元端末１１０の前記躯体には、無線通信機能部１１１と操作部１１２と測位部１１３と電源部１１４及び初期発呼記憶部１１５が設けられる。無線通信機能部１１１は、電源部１１４からの電力で起動し、通信網１２０を経由して緊急連絡先端末１２１及び管理装置１３１と無線通信を行うものであって、スピーカ１１６とマイク１１７と通信部１１８及び制御部１１９を備える。緊急連絡元端末１１０から緊急連絡先端末１２１に無線通信される緊急連絡情報が、マイク１１７を用いた人に肉声でなく、緊急連絡元端末１１０に設けられた図示のされていない記憶部に予め記憶された音声を用いる場合は、マイク１１７は不用である。又、緊急連絡元端末１１０と緊急連絡先端末１２１とが相互に通話できない構成の場合は、スピーカ１１６は不用である。制御部１１９は、スピーカ１１６とマイク１１７及び通信部１１８を無線通信できるように制御する。
【００１２】
操作部１１２は、オフ状態において人から押される等の操作を受けるとオン動作し、オン状態において人から押される等の操作を受けるとオフ動作するように、人為的な操作を受けるごとに、オフ動作とオン動作とを繰り返すようになっている。測位部１１３は、電源部１１４からの電力で起動し、地球上の周回軌道にある複数のＧＰＳ衛星からの時刻や軌道の情報を受け取り、その時刻差と電波の到達速度を計算し、測位部１１３のＧＰＳ衛星からの距離を割り出し、それをもとに測位部１１３の緯度・経度を特定する。初期発呼記憶部１１５には、管理装置電話番号例えば「０８０‐２２２２‐１２３４」が予め記憶されている。電源部１１４は、充電可能なバッテリ又は充電不可能な乾電池で構成される。電源部１１４の電力は腕時計１０２及びバンド１０３に用いられることなく無線通信機能部１１１及び測位部１１３に使用される構成である。よって、腕時計１０２が電気式であっても、腕時計１０２の電源部と電源部１１４とは互いに独立した構成である。又、バンド１０３に緊急連絡元端末１１０以外の電気用品が設けられていても、当該電気用品の電源部と電源部１１４とは互いに独立した構成である。
【００１３】
そして、操作部１１２がオフ動作した停止状態の場合には、電源部１１４から無線通信機能部１１１への回路が開路され、電源部１１４から無線通信機能部１１１及び測位部１１３に電力が供給されることがなく、無線通信機能部１１１及び測位部１１３が動作せず、電源部１１４の消耗が抑制される。
【００１４】
前記のように操作部１１２がオフ動作した停止状態において、操作部１１２が人から操作を受けてオン動作した緊急連絡状態になると、電源部１１４から無線通信機能部１１１及び測位部１１３への回路が閉路され、電源部１１４から無線通信機能部１１１及び測位部１１３に電力が供給され、無線通信機能部１１１及び測位部１１３が起動し、無線通信機能部１１１が初期発呼記憶部１１５に予め記憶された管理装置電話番号に基づき通信網１２０を経由して管理装置１３１に無線通信で発呼する。
【００１５】
管理装置１３１には複数個の連絡先としての氏名及び電話番号が予め記憶されて設定された連絡先記憶部１３２が設けられている。尚、複数個の連絡先としての氏名及び電話番号を連絡先記憶部１３２に予め設定させる設定タイミングとしては、緊急連絡元端末１１０の新規契約時等が考えられる。よって、管理装置１３１が緊急連絡元端末１１０から発信された管理装置電話番号を受信すると、管理装置１３１は連絡先記憶部１３２における一人の緊急連絡先端末１２１との回線が成立するまで発呼を、例えば連絡先記憶部１３２の上欄に記載された氏名Ａから下欄に記載された氏名Ｂ及び氏名Ｃへと又は連絡先記憶部１３２の下欄に記載された氏名Ｃから連絡先記憶部１３２の上欄に記載された氏名Ｂ及び氏名Ａへと、順次行う。
【００１６】
例えば、管理装置１３１が連絡先記憶部１３２の上位に記憶された氏名Ａの電話番号に該当する緊急連絡先端末１２１に発呼を行う。そして、発呼から設定時間、例えば、２分間内に管理装置１３１が氏名Ａの電話番号に該当する緊急連絡先端末１２１からの着信応答としてのオフフックを受信しなければ、管理装置１３１が連絡先記憶部１３２の氏名Ａの次に記憶された氏名Ｂの電話番号に該当する緊急連絡先端末１２１に発呼を行う。その後、発呼から設定時間、例えば、２分間内に管理装置１３１が氏名Ｂの電話番号に該当する緊急連絡先端末１２１からの着信応答としてのオフフックを受信しなければ、管理装置１３１が連絡先記憶部１３２の氏名Ｂの次に記憶された氏名Ｃの電話番号に該当する緊急連絡先端末１２１に発呼を行う。
【００１７】
前記のように管理装置１３１が管理装置１３１と連絡先記憶部１３２における一人の緊急連絡先端末１２１との回線が成立するまで発呼を順次行うことによって、緊急連絡元端末１１０を所持する人が発呼に対する操作をその都度行うことなく、操作部１１２に対する１回の操作で、緊急通知を管理装置１３１に連絡し、その緊急通知を受信した管理装置１３１が連絡先記憶部１３２の電話番号に基づく緊急連絡先端末１２１を発呼し、その発呼から設定時間内に、管理装置１３１が上記連絡先記憶部１３２の電話番号に該当する緊急連絡先端末１２１からの着信応答としてのオフフックを受信すると、管理装置１３１が電話転送機能に基づき緊急連絡元端末１１０と前記発呼に着信応答した１つの緊急連絡先端末１２１とを通信網１２０を経由して互いに通信可能に接続し、緊急連絡元端末１１０の無線通信機能部１１１がマイク１１７で拾った音声等の緊急連絡情報及び測位部１１３で特定した位置情報を前記発呼に着信応答した１つの緊急連絡先端末１２１に無線通信で連絡可能になる。
【００１８】
管理装置１３１が連絡先記憶部１３２に記憶された複数個の電話番号に該当する全ての緊急連絡先端末１２１からオフフックを前記設定時間内に受信できない場合は、連絡先記憶部１３２に記憶された緊急機関の電話番号に発呼を行うようにしてもよい。緊急機関としては、警察、消防署、病院等が考えられる。又、管理装置１３１が連絡先記憶部１３２に記憶された複数個の電話番号に該当する全ての緊急連絡先端末１２１からオフフックを前記設定時間内に受信できない場合は、ショートメッセージ（略語はＳＭＳ）を連絡先記憶部１３２に記憶された電話番号に該当する１つ又は２つ以上又は全部の緊急連絡先端末１２１に送信してもよい。前記緊急機関への発呼と前記ショートメッセージの送信との一方又は両方を行うようにしてもよい。
【００１９】
前記のように連絡先記憶部１３２が管理装置１３１に設けられたので、緊急連絡先端末１２１又は図示のされていない通信端末が通信網１２０を経由して管理装置１３１に通信可能に接続された状態において連絡先記憶部１３２の記憶内容を変更できる。
【００２０】
図２を用いて、発明を実施するための形態１に係る緊急連絡元端末１１０における緊急通信の手順について説明する。操作部１１２がオフ動作した停止状態において、ステップ２０１で操作部１１２が操作されると、ステップ２０２で緊急操作部１１２が電源部１１４から無線通信機能部１１１及び測位部１１３への回路を閉路し、無線通信機能部１１１及び測位部１１３が電源部１１４からの電力で起動し、ステップ２０３に進む。ステップ２０３では、無線通信機能部１１１が通信網１２０経由で管理装置３０１に無線通信で管理装置電話番号に基づく発呼を行い、ステップ２０４に進む。ステップ２０４では、無線通信機能部１１１が管理装置１３１による転送かつまり緊急連絡元端末１１０と緊急連絡先端末１２１と通信可能に接続したか否かを、図３のステップ３０４の緊急連絡元端末１１０と緊急連絡先端末１２１とを接続する処理の結果に基づき判断する。そして、ステップ２０４において、緊急連絡元端末１１０が緊急連絡先端末１２１に接続してない場合には、ステップ２０４でＮＯと判断し、ステップ２０４に戻る。又、ステップ２０４において、緊急連絡元端末１１０が緊急連絡先端末１２１に接続した場合には、ステップ２０４でＹＥＳと判断し、ステップ２０５に進む。ステップ２０５では、緊急連絡元端末１１０がマイク１１７で拾った音声等の緊急連絡情報及び測位部１１３で特定した位置情報を緊急連絡先端末１２１に無線通信する。これによって、緊急連絡先端末１２１を所持した人が緊急連絡元端末１１０を所持した人の位置及び緊急事態の発生を知り、前記緊急事態への対処を行える。
【００２１】
図３を用いて、発明を実施するための形態１に係る管理装置１３１における緊急連絡の手順について説明する。ステップ３０１では、管理装置１３１が緊急連絡元端末１１０から発信された緊急通知を受信したか否かを判断する。そして、ステップ３０１において、管理装置１３１が緊急通知を受信してないと判断すると、ステップ３０１でＮＯと判断し、ステップ３０１に戻る。ステップ３０１において、管理装置１３１が緊急通知を受信したと判断すると、ステップ３０１でＹＥＳと判断し、ステップ３０２に進む。ステップ３０２では、管理装置１３１が第１発呼を行うとともに、第１発呼から経過した時間を計数する計時を開始し、ステップ３０３に進む。前記第１発呼では、連絡先記憶部１３２に記憶された氏名Ａの電話番号による発呼を行う。
【００２２】
ステップ３０３では、管理装置１３１は第１発呼に対する着信応答があるか否か、すなわち、氏名Ａの電話番号に該当する緊急連絡先端末１２１から着信応答としてのオフフックがあるか否かを判断する。そして、ステップ３０３において、氏名Ａの電話番号に該当する緊急連絡先端末１２１への発呼から経時した時間が管理装置１３１に予め所定時間として設定された設定時間内に、管理装置１３１が氏名Ａの電話番号に該当する緊急連絡先端末１２１から着信応答としてのオフフックを受信すると、ステップ３０３でＹＥＳと判断し、ステップ３０４に進む。ステップ３０４では、管理装置１３１が転送機能によって緊急連絡元端末１１０と氏名Ａの電話番号に該当する緊急連絡先端末１２１とを通信可能に接続する。このステップ３０４での接続の処理によって、緊急連絡元端末１１０の無線通信機能部１１１が図２のステップ２０４及び２０５に示した処理を行い、緊急連絡元端末１１０の無線通信機能部１１１がマイク１１７で拾った音声等の緊急連絡情報及び測位部１１３で特定した位置情報を氏名Ａの電話番号に該当する緊急連絡先端末１２１に無線通信する。
【００２３】
ステップ３０３において、管理装置１３１が氏名Ａの電話番号に該当する緊急連絡先端末１２１から着信応答としてのオフフックを受信しない場合、ステップ３０３でＮＯと判断し、ステップ３０５に進む。ステップ３０５では、管理装置１３１は氏名Ａの電話番号に該当する緊急連絡先端末１２１への発呼から経時した時間が設定時間を経過したかを判断する。そして、氏名Ａの電話番号に該当する緊急連絡先端末１２１への発呼から経時した時間が設定時間を経過してなければ、ステップ３０５でＮＯと判断し、ステップ３０３に戻る。ステップ３０５において、氏名Ａの電話番号に該当する緊急連絡先端末１２１への発呼から経時した時間が設定時間を経過したならば、ステップ３０５でＹＥＳと判断し、ステップ３０６に進む。ステップ３０６において、管理装置１３１が第２発呼を行うとともに、第２発呼から経過した時間を計数する計時を開始し、ステップ３０７に進む。前記第２発呼では、連絡先記憶部１３２に記憶された氏名Ｂの電話番号による発呼を行う。
【００２４】
ステップ３０７では、管理装置１３１は第２発呼に対する着信応答があるか否か、すなわち、氏名Ｂの電話番号に該当する緊急連絡先端末１２１から着信応答としてのオフフックがあるか否かを判断する。そして、氏名Ｂの電話番号に該当する緊急連絡先端末１２１への発呼から経過した時間内に管理装置１３１が氏名Ｂの電話番号に該当する緊急連絡先端末１２１から着信応答としてのオフフックを受信すると、ステップ３０７でＹＥＳと判断し、ステップ３０４に進む。ステップ３０４では、緊急連絡元端末１１０と氏名Ｂの電話番号に該当する緊急連絡先端末１２１とが通信可能に接続される。このステップ３０４での接続の処理によって、緊急連絡元端末１１０の無線通信機能部１１１が図２のステップ２０４及び２０５に示した処理を行い、緊急連絡元端末１１０の無線通信機能部１１１がマイク１１７で拾った音声等の緊急連絡情報及び測位部１１３で特定した位置情報を氏名Ａの電話番号に該当する緊急連絡先端末１２１に無線通信する。
【００２５】
ステップ３０７において、管理装置１３１が氏名Ｂの電話番号に該当する緊急連絡先端末１２１から着信応答としてのオフフックを受信しない場合、ステップ３０７でＮＯと判断し、ステップ３０８に進む。ステップ３０８では、管理装置１３１が氏名Ｂの電話番号に該当する緊急連絡先端末１２１への発呼から経時した時間が設定時間を経過したかを判断する。そして、ステップ３０８において、氏名Ｂの電話番号に該当する緊急連絡先端末１２１への発呼から経時した時間が設定時間を経過してなければ、ステップ３０８でＮＯと判断し、ステップ３０７に戻る。ステップ３０８において、氏名Ｂの電話番号に該当する緊急連絡先端末１２１の発呼から経過した時間が設定時間を経過したならば、ステップ３０８でＹＥＳと判断し、ステップ３０９に進む。ステップ３０９において、管理装置１３１が第３発呼を行うとともに、第３発呼から経過した時間を計数する計時を開始し、ステップ３１０に進む。前記第３発呼では、連絡先記憶部１３２に記憶された氏名Ｃの電話番号による発呼を行う。
【００２６】
ステップ３１０では、管理装置１３１は第３発呼に対する着信応答があるか否か、すなわち、氏名Ｃの電話番号に該当する緊急連絡先端末１２１から着信応答としてのオフフックがあるか否かを判断する。そして、ステップ３１０において、氏名Ｃの電話番号に該当する緊急連絡先端末１２１への発呼から経過した時間が設定時間内に、管理装置１３１が氏名Ｃの電話番号に該当する緊急連絡先端末１２１から着信応答としてのオフフックを受信すると、ステップ３１０でＹＥＳと判断し、ステップ３０４に進む。ステップ３０４では、緊急連絡元端末１１０の通信部１１８と氏名Ｃの電話番号に該当する緊急連絡先端末１２１とが通信可能に接続される。このステップ３０４での接続の処理によって、図２のステップ２０４及び２０５に示した処理に基づき、緊急連絡元端末１１０がマイク１１７で拾った音声等の緊急連絡情報及び測位部１１３で特定した位置情報を氏名Ｃの電話番号に該当する緊急連絡先端末１２１に無線通信する。
【００２７】
ステップ３１０において、管理装置１３１が氏名Ｃの電話番号に該当する緊急連絡先端末１２１から着信応答としてのオフフックを受信しない場合、ステップ３１０でＮＯと判断し、ステップ３１１に進む。ステップ３１１では、管理装置１３１は氏名Ｃの電話番号に該当する緊急連絡先端末１２１への発呼から経過した時間が設定時間を経過したかを判断する。そして、ステップ３１１において、氏名Ｃの電話番号に該当する緊急連絡先端末１２１への発呼から経過した時間が設定時間を経過してなければ、ステップ３１１でＮＯと判断し、ステップ３１０に戻る。ステップ３１１において、氏名Ｃの電話番号に該当する緊急連絡先端末１２１への発呼から経過した時間が設定時間を経過したならば、ステップ３１１でＹＥＳと判断し、ステップ３１２に進む。ステップ３１２において、管理装置１３１が連絡先記憶部１３２に記憶された緊急機関の電話番号に発呼を行うか、又は連絡先記憶部１３２に記憶された１つ又は２つ以上又は全部の緊急連絡先端末１２１にショートメッセージを送信する。
【００２８】
図４を用いて、発明を実施するための形態１に係る緊急連絡システム１０１について説明する。図４に示した緊急連絡システム１０１は、腕時計１０２のバンド１０３に緊急連絡元端末１１０を着脱可能に設けた点が、図１の緊急連絡システム１０１と相違する。前記緊急連絡元端末１１０がバンド１０３に着脱可能に設けられた構成としては、緊急連絡元端末１１０の無線通信機能部１１１と測位部１１３と電源部１１４及び初期発呼記憶部１１５の設けられた躯体をバンド１０３に着脱可能に構成し、緊急連絡元端末１１０を装着する腕時計１０２又はバンド１０３を変更できるようになっている。
【００２９】
尚、緊急通知を行う先としての管理装置電話番号が予め記憶されて設定された初期発呼記憶部１１５に替えて、連絡先としての氏名及び電話番号が予め記憶されて設定された連絡先記憶部１３２が緊急連絡元端末１１０に設けられ、電源部１１４の電力は腕時計１０２及びバンド１０３に用いられることなく無線通信機能部１１１及び測位部１１３に使用される構成であって、電源部１１４から無線通信機能部１１１及び測位部１１３への回路が開路された操作部１１２のオフ動作した状態において、操作部１１２が人から操作を受けてオン動作すると、無線通信機能部１１１及び測位部１１３が電源部１１４からの電力で起動し、無線通信機能部１１１が緊急連絡情報及び前記測位部１１３で特定した位置情報を連絡先記憶部１３２に予め記憶された電話番号に該当する緊急連絡先端末に無線通信するようにすれば、管理装置１３１が省ける。
【符号の説明】
【００３０】
１０１  緊急連絡システム
１０２  腕時計
１０３  バンド
１０４  １２時側バンド部材
１０５  ６時側バンド部材
１０６  バンド取付部材
１０７  バンド取付部材
１１０  緊急連絡元端末
１１１  無線通信機能部
１１２  操作部
１１３  測位部
１１４  電源部
１１５  初期発呼記憶部
１１６  スピーカ
１１７  マイク
１１８  通信部
１１９  制御部
１２０  通信網
１２１  緊急連絡先端末
１３１  管理装置
１３２  連絡先記憶部
【図１】
2018182672.tif 000003
【図２】
2018182672.tif 000004
【図３】
2018182672.tif 000005
【図４】
2018182672.tif 000006
【図５】
2018182672.tif 000007